(57)【特許請求の範囲】
【請求項１】
コンピュータシステムによって実行されるサイト管理方法であって、
複数のカードを提供するステップ、および
前記提供された複数のカードのうちユーザの端末機で選択されたカードに対応するページおよび前記端末機で選択された少なくとも１つのカードをコンポーネントとして含むページのうち、少なくとも１つを含むサイトを生成するステップ
を含み、
前記複数のカードは、コンポーネントの組み合わせを形状化したテンプレートの形態で前記ユーザの端末機に提供され、
前記テンプレートは、ユーザによるコンポーネントの選択および組み合わせによって構成される一般カードおよび機能と構造が予め定められた機能カードとを含み、
前記一般カードのテンプレートの形態は、前記ユーザによるコンポーネントの選択および組み合わせによって変更又は追加が可能であり、
前記機能カードに含まれるコンポーネントの機能と構造は予め定められていることを特徴とする、サイト管理方法。
【請求項２】
前記複数のカードを提供するステップは、
生成されるサイトを分類するためのカテゴリ別にカードを管理するステップ、および
前記ユーザの端末機で選択されたカテゴリに対応するカードを提供するステップ
を含むことを特徴とする、請求項１に記載のサイト管理方法。
【請求項３】
前記コンポーネントは、サイト製作のために必要な構成要素を目的および機能のうち少なくとも１つに応じて集合させた構成単位であることを特徴とする、請求項１に記載のサイト管理方法。
【請求項４】
前記一般カードは、前記サイトのカテゴリおよび前記ページのメニューのうち少なくとも１つによって提供されるコンポーネントのうち、前記ユーザの端末機で選択されたコンポーネントを組み合わせて構成されることを特徴とする、請求項１に記載のサイト管理方法。
【請求項５】
前記機能カードは、第三者によって製作されて登録された機能カードを含むことを特徴とする、請求項１に記載のサイト管理方法。
【請求項６】
前記機能カードは、前記ユーザの選択に応じ、独自的な１つのページで構成されるか、または前記一般カードに組み合わされる１つのコンポーネントで構成されることを特徴とする、請求項１に記載のサイト管理方法。
【請求項７】
前記サイトの生成に利用された機能カードの個数および種類のうち少なくとも１つに基づいて前記ユーザに課金するステップ
をさらに含むことを特徴とする、請求項１に記載のサイト管理方法。
【請求項８】
前記サイトの生成に利用された機能カードに含まれる機能が前記サイトの訪問者によって実行された回数に基づいて前記ユーザに課金するステップ
をさらに含むことを特徴とする、請求項１に記載のサイト管理方法。
【請求項９】
前記機能カードを前記ユーザに販売するステップ
をさらに含み、
前記複数のカードを提供するステップは、
前記一般カードおよび前記ユーザに販売された機能カードを前記ユーザの端末機に提供するステップ
を含むことを特徴とする、請求項１に記載のサイト管理方法。
【請求項１０】
前記複数のカードのうち２つ以上のカードそれぞれにカードの付加情報を含むＵＲＬが割り当てられることを特徴とする、請求項１に記載のサイト管理方法。
【請求項１１】
アクセス者の端末機で検索語を受信するステップ、および
前記検索語と関連する付加情報を含むＵＲＬのカードをランディングページとして前記アクセス者の端末機に提供するステップ
をさらに含むことを特徴とする、請求項１０に記載のサイト管理方法。
【請求項１２】
コンピュータシステムによって実行されるサイト管理方法であって、
複数のカードを提供するステップ、
前記提供された複数のカードのうちユーザの端末機で選択されたカードに対応するページおよび前記端末機で選択された少なくとも１つのカードをコンポーネントとして含むページのうち、少なくとも１つを含むサイトを生成するステップ、
アクセス者の端末機で検索語を受信するステップ、および
前記検索語と関連する付加情報を含むＵＲＬのページをランディングページとして前記アクセス者に提供するステップ
を含み、前記サイトに含まれるページには、前記サイトに含まれるページに対応するカードまたは前記サイトに含まれるページに含まれたカードの付加情報を含むＵＲＬが割り当てられ、前記複数のカードは、コンポーネントの組み合わせを形状化したテンプレートの形態で前記ユーザの端末機に提供され、
前記テンプレートは、ユーザによるコンポーネントの選択および組み合わせによって構成される一般カードおよび機能と構造が予め定められた機能カードとを含み、
前記一般カードのテンプレートの形態は、前記ユーザによるコンポーネントの選択および組み合わせによって変更又は追加が可能であり、
前記機能カードに含まれるコンポーネントの機能と構造は予め定められていることを特徴とする、サイト管理方法。
【請求項１３】
請求項１〜１２のうちいずれか一項の方法を実行するためのプログラムが記録されていることを特徴とする、コンピュータで読み取り可能な記録媒体。
【請求項１４】
コンピュータシステムによって実現されるサイト管理システムであって、
複数のカードを提供するカード提供部、および
前記提供された複数のカードのうちユーザの端末機で選択されたカードに対応するページおよび前記端末機で選択された少なくとも１つのカードをコンポーネントとして含むページのうち、少なくとも１つを含むサイトを生成するサイト生成部
を備え、
前記複数のカードは、コンポーネントの組み合わせを形状化したテンプレートの形態で前記ユーザの端末機に提供され、
前記テンプレートは、ユーザによるコンポーネントの選択および組み合わせによって構成される一般カードおよび機能と構造が予め定められた機能カードとを含み、
前記一般カードのテンプレートの形態は、前記ユーザによるコンポーネントの選択および組み合わせによって変更又は追加が可能であり、
前記機能カードに含まれるコンポーネントの機能と構造は予め定められていることを特徴とする、サイト管理システム。
【請求項１５】
前記カード提供部は、
生成されるサイトを分類するためのカテゴリ別にカードを管理するカード管理部、および前記ユーザの端末機で選択されたカテゴリに対応するカードを提供するカテゴリ別カード提供部
を備えることを特徴とする、請求項１４に記載のサイト管理システム。
【請求項１６】
前記コンポーネントは、サイト製作のために必要な構成要素を目的および機能のうち少なくとも１つに応じて集合させた構成単位であることを特徴とする、請求項１４に記載のサイト管理システム。
【請求項１７】
前記一般カードは、前記サイトのカテゴリおよび前記ページのメニューのうち少なくとも１つによって提供されるコンポーネントのうち、前記ユーザの端末機で選択されたコンポーネントを組み合わせて構成されることを特徴とする、請求項１４に記載のサイト管理システム。
【請求項１８】
前記機能カードは、第三者によって製作されて登録された機能カードを含むことを特徴とする、請求項１４に記載のサイト管理システム。
【請求項１９】
前記機能カードは、前記ユーザの選択に応じ、独自的な１つのページで構成されるか、または前記一般カードに組み合わされる１つのコンポーネントで構成されることを特徴とする、請求項１４に記載のサイト管理システム。
【請求項２０】
前記サイトの生成に利用された機能カードの個数および種類のうち少なくとも１つに基づいて前記ユーザに課金する課金部
をさらに備えることを特徴とする、請求項１４に記載のサイト管理システム。
【請求項２１】
前記サイトの生成に利用された機能カードに含まれる機能が前記サイトの訪問者によって実行された回数に基づいて前記ユーザに課金する課金部
をさらに備えることを特徴とする、請求項１４に記載のサイト管理システム。
【請求項２２】
前記機能カードを前記ユーザに販売する機能カード販売部
をさらに備え、
前記カード提供部は、
前記一般カードおよび前記ユーザに販売された機能カードを前記ユーザの端末機に提供することを特徴とする、請求項１４に記載のサイト管理システム。
【請求項２３】
コンピュータシステムによって実現されるサイト管理システムであって、
複数のカードを提供するカード提供部、
前記提供された複数のカードのうちユーザの端末機で選択されたカードに対応するページおよび前記端末機で選択された少なくとも１つのカードをコンポーネントとして含むページのうち、少なくとも１つを含むサイトを生成するサイト生成部、
アクセス者の端末機で検索語を受信する検索語受信部、および
前記検索語と関連する付加情報を含むＵＲＬのページをランディングページとして前記アクセス者に提供するページ提供部
を備え、
前記サイトに含まれるページには、前記サイトに含まれるページに対応するカードまたは前記サイトに含まれるページに含まれたカードの付加情報を含むＵＲＬが割り当てられ、
前記複数のカードは、コンポーネントの組み合わせを形状化したテンプレートの形態で前記ユーザの端末機に提供され、
前記テンプレートは、ユーザによるコンポーネントの選択および組み合わせによって構成される一般カードおよび機能と構造が予め定められた機能カードとを含み、
前記一般カードのテンプレートの形態は、前記ユーザによるコンポーネントの選択および組み合わせによって変更又は追加が可能であり、
前記機能カードに含まれるコンポーネントの機能と構造は予め定められていることを特徴とする、サイト管理システム。
【発明の詳細な説明】
【技術分野】
【０００１】
本発明の実施形態は、多様な形態のカードを利用してサイトの製作を支援するサイト管理方法およびシステムに関する。
【背景技術】
【０００２】
最近では、モバイル環境に合わせてモバイルコンテンツページを製作することができるフレームワークや基盤環境が提供されており、これを利用することで誰でも手軽にモバイルコンテンツページを作成できるようになった。
【０００３】
例えば、韓国登録特許第１０−０９１７６７２号（登録日２００９年０９月０９日）には、ツリー方式のディレクトリ構造を提供するモバイルウェブサイト製作ツールが開示されている。しかし、このような従来技術では、ユーザが直接モバイルサイトの全体的な模様（形状）をデザインしなければならないだけでなく、個別的なすべてのオブジェクトも直接デザインして表現しなければならないため、素人が自身の所望するモバイルサイトを製作することが極めて困難で複雑であるという問題点がある。
【０００４】
また、業種や主題別に定形化されているテンプレートを提供する従来技術によると、当該テンプレートのコンテンツを交換する程度の自由度しか提供できずにいる。例えば、特定ページのテンプレートを変更するのではなく、同じテンプレートのテキスト、イメージ、動画などを変更することだけが許容されるのである。他のテンプレートのページに変更したいときには、所望するテンプレートのページを探し出した後にページを再編集しなければならないという不便さがある。
【発明の概要】
【発明が解決しようとする課題】
【０００５】
ユーザが数回のクリックだけで、自身の所望するウェブ／モバイルサイトの全体的な形状、さらに詳細的なコンポーネントの形状を構築できるように支援するサイト管理方法およびサイト管理システムを提供する。
【０００６】
ウェブ／モバイルサイトに含まれる個別のウェブ／モバイルページを多様な機能が予め規定されたカードの形態でユーザに提供し、ユーザが提供されたカードを選択および組み合わせることによってウェブ／モバイルサイトを製作できるように支援するサイト管理方法およびサイト管理システムを提供する。
【０００７】
空のカード上に多様なコンポーネントをユーザが多様に組み合わせて使用可能なように自由度を付与したカードである一般カードと特殊機能が含まれた機能カードとに区分して定義されたカードを提供し、外部開発者によって開発される機能カードの登録および販売によって新たな収益創出が可能となるサイト管理方法およびサイト管理システムを提供する。
【０００８】
ウェブ／モバイルサイトを編集するための構成要素を予めコンポーネントの単位で定義してユーザに提供し、ユーザが提供されたコンポーネントを選択および組み合わせることによってウェブ／モバイルサイトに含まれる個別のウェブ／モバイルページを製作できるように支援するサイト管理方法およびサイト管理システムを提供する。
【課題を解決するための手段】
【０００９】
コンピュータシステムによって実行されるサイト管理方法であって、複数のカードを提供するステップ、および前記提供された複数のカードのうちユーザの端末機で選択されたカードに対応するページおよび前記端末機で選択された少なくとも１つのカードをコンポーネントとして含むページのうち、少なくとも１つを含むサイトを生成するステップを含み、前記複数のカードは、ユーザによるコンポーネントの選択および組み合わせによって構成される一般カードおよび機能と構造が予め定められた機能カードを含むことを特徴とするサイト管理方法が提供される。
【００１０】
一実施形態によると、前記複数のカードを提供するステップは、生成されるサイトを分類するためのカテゴリ別にカードを管理するステップ、および前記ユーザの端末機で選択されたカテゴリに対応するカードを提供するステップを含むことを特徴としてもよい。
【００１１】
さらに他の一実施形態によると、前記コンポーネントは、サイト製作のために必要な構成要素を目的および機能のうち少なくとも１つに応じて集合させた構成単位であることを特徴としてもよい。
【００１２】
さらに他の一実施形態によると、前記一般カードは、前記サイトのカテゴリおよび前記ページのメニューのうち少なくとも１つに応じて提供されるコンポーネントのうち、前記ユーザの端末機で選択されたコンポーネントを組み合わせて構成されることを特徴としてもよい。
【００１３】
さらに他の一実施形態によると、前記機能カードは、特殊な機能を有するように自身によって製作されて提供される機能カード、および特殊な機能を有するように外部開発者によって製作されて登録された機能カードを含むことを特徴としてもよい。
【００１４】
さらに他の一実施形態によると、前記機能カードは、前記ユーザの選択に応じ、独自的な１つのページで構成されたり、前記一般カードに組み合わされる１つのコンポーネントで構成されたりすることを特徴としてもよい。
【００１５】
さらに他の一実施形態によると、前記サイト管理方法は、前記サイトの生成に利用された機能カードの個数および種類のうち少なくとも１つに基づいて前記ユーザに課金するステップをさらに含むことを特徴としてもよい。
【００１６】
さらに他の一実施形態によると、前記サイト管理方法は、前記サイトの生成に利用された機能カードに含まれる機能が前記サイトの訪問者によって実行された回数に基づいて前記ユーザに課金するステップをさらに含むことを特徴としてもよい。
【００１７】
さらに他の一実施形態によると、前記サイト管理方法は、前記機能カードを前記ユーザに販売するステップをさらに含み、前記複数のカードを提供するステップは、前記一般カードおよび前記ユーザに販売された機能カードを前記ユーザの端末機に提供するステップを含むことを特徴としてもよい。
【００１８】
さらに他の一実施形態によると、前記複数のカードのうち２つ以上のカードそれぞれに、カードの付加情報を含むＵＲＬが割り当てられることを特徴としてもよい。
【００１９】
さらに他の一実施形態によると、前記サイト管理方法は、アクセス者の端末機で検索語を受信するステップ、および前記検索語と関連する付加情報を含むＵＲＬのカードをランディングページとして前記アクセス者の端末機に提供するステップをさらに含むことを特徴としてもよい。
【００２０】
コンピュータシステムによって実行されるサイト管理方法であって、複数のカードを提供するステップ、前記提供された複数のカードのうちユーザの端末機で選択されたカードに対応するページおよび前記端末機で選択された少なくとも１つのカードをコンポーネントとして含むページのうち、少なくとも１つを含むサイトを生成するステップ（前記サイトに含まれるページには、前記サイトに含まれるページに対応するカードまたは前記サイトに含まれるページに含まれたカードの付加情報を含むＵＲＬが割り当てられる）、アクセス者の端末機で検索語を受信するステップ、および前記検索語と関連する付加情報を含むＵＲＬのページをランディングページとして前記アクセス者に提供するステップを含むことを特徴とするサイト管理方法が提供される。
【００２１】
コンピュータシステムによって実現されるサイト管理システムであって、複数のカードを提供するカード提供部、および前記提供された複数のカードのうちユーザの端末機で選択されたカードに対応するページおよび前記端末機で選択された少なくとも１つのカードをコンポーネントとして含むページのうち、少なくとも１つを含むサイトを生成するサイト生成部を備え、前記複数のカードは、ユーザによるコンポーネントの選択および組み合わせによって構成される一般カードおよび機能と構造が予め定められた機能カードに分類されることを特徴とするサイト管理システムが提供される。
【００２２】
コンピュータシステムによって実現されるサイト管理システムであって、複数のカードを提供するカード提供部、前記提供された複数のカードのうちユーザの端末機で選択されたカードに対応するページおよび前記端末機で選択された少なくとも１つのカードをコンポーネントとして含むページのうち、少なくとも１つを含むサイトを生成するサイト生成部（前記サイトに含まれるページには、前記サイトに含まれるページに対応するカードまたは前記サイトに含まれるページに含まれたカードの付加情報を含むＵＲＬが割り当てられる）、アクセス者の端末機で検索語を受信する検索語受信部、および前記検索語と関連する付加情報を含むＵＲＬのページをランディングページとして前記アクセス者に提供するページ提供部を備えることを特徴とするサイト管理システムが提供される。
【００２３】
コンピュータシステムによって実行されるサイト管理方法であって、カテゴリによって予め構成されたメニューそれぞれに対して複数のカードを対応させて管理するステップ、サイトの製作のために提供されるツールを利用して伝達されるカテゴリに応じて予め構成されたメニューと前記メニューそれぞれに対してランダムにまたは予め設定された規則にしたがって選択されたカードを提供するステップ、および前記ツールを利用して伝達される再構成要請に応じて前記メニューそれぞれに対する前記カードをランダムにまたは前記予め設定された規則にしたがって再選択して提供するステップを含むことを特徴とするサイト管理方法が提供される。
【００２４】
一実施形態によると、前記サイト管理方法は、前記ツールを利用して伝達される適用要請に応じ、前記メニューをサイトのメニューとして含み、前記カードをページとして含むサイトの形状を生成するステップをさらに含むことを特徴としてもよい。
【００２５】
他の一実施形態によると、前記メニューそれぞれに対応する複数のカードは、互いに異なるテンプレート構造を有することを特徴としてもよい。
【００２６】
さらに他の一実施形態によると、前記サイト管理方法は、前記選択されたカードまたは前記再選択されたカードに対応するサンプルイメージを提供するステップをさらに含むことを特徴としてもよい。
【００２７】
さらに他の一実施形態によると、前記サイト管理方法は、前記メニューのうち選択されたメニューに対応する複数のカードのテンプレート構造に関するサムネイルを、前記ツールを利用して提供するステップをさらに含むことを特徴としてもよい。
【００２８】
さらに他の一実施形態によると、前記提供されたサムネイルのうち前記ツールを利用して選択されたサムネイルに応じ、前記選択されたメニューに対応するカードが変更されることを特徴としてもよい。
【００２９】
さらに他の一実施形態によると、前記サイト管理方法は、前記ツールを利用して伝達されるカラー変更要請に応じ、前記メニューそれぞれに対する前記カードを前記カラー変更要請に対応するカラーのカードに一括変更して提供するステップをさらに含むことを特徴としてもよい。
【００３０】
さらに他の一実施形態によると、前記サイト管理方法は、それぞれのカードがサイトの生成のために選択された回数をカテゴリおよびメニューのうち少なくとも１つによってカウントするステップをさらに含み、前記カードは、前記それぞれのカードが選択された回数に基づいて算出されるユーザのテンプレート構造に関する選好度を反映して前記メニューそれぞれに対して選択されることを特徴としてもよい。
【００３１】
コンピュータシステムによって実現されるサイト管理システムであって、カテゴリに応じて予め構成されたメニューそれぞれに対して複数のカードを対応させて管理するカード管理部、サイト製作のために提供されるツールを利用して伝達されるカテゴリに応じて予め構成されたメニューと前記メニューそれぞれに対してランダムにまたは予め設定された規則にしたがって選択されたカードを提供するカード提供部、および前記ツールを利用して伝達される再構成要請に応じて前記メニューそれぞれに対する前記カードをランダムにまたは前記予め設定された規則にしたがって再選択して提供するカード変更部を備えることを特徴とするサイト管理システムが提供される。
【００３２】
コンピュータシステムによって実行されるサイト管理方法であって、複数のコンポーネントを提供するステップ、前記複数のコンポーネントのうち選択される少なくとも１つのコンポーネントを含むカードを生成するステップ、前記カードに含まれる個別コンポーネントを編集するための編集機能および前記カードに含まれるコンポーネントを再構成するための再構成機能を提供するステップ、および前記カードに対応するページおよび前記カードを１つのコンポーネントとして含むページのうち少なくとも１つを含むサイトを生成するステップを含み、前記コンポーネントは、サイト製作のために必要な構成要素を目的および機能のうち少なくとも１つに応じて集合させた構成単位であることを特徴とするサイト管理方法が提供される。
【００３３】
一実施形態によると、前記編集機能および前記再構成機能を提供するステップは、コンポーネント選択領域、プレビュー領域、および属性編集領域が含まれたツールをユーザの端末機にネットワークを介して提供するステップ、前記ツールを利用して選択されたカードに、前記コンポーネント選択領域によって選択されるコンポーネントを前記選択されたカードの上から下の順に追加するステップ、前記プレビュー領域で選択されるコンポーネントの編集のためのユーザインタフェースを前記属性編集領域に提供するステップ、および前記コンポーネントが追加されたり前記コンポーネントが編集されたりする場合、前記追加されたコンポーネントまたは前記編集されたコンポーネントが反映されたカードのプレビュー画面を前記プレビュー領域に提供するステップを含むことを特徴としてもよい。
【００３４】
他の一実施形態によると、前記プレビュー領域は、前記カードに含まれたコンポーネント間の順序を変更するためのユーザインタフェースを含むことを特徴としてもよい。
【００３５】
さらに他の一実施形態によると、前記コンポーネントの幅は、前記選択されたカードの幅に対応することを特徴としてもよい。
【００３６】
さらに他の一実施形態によると、前記コンポーネントの目的および機能のうち少なくとも１つに応じて付与された属性別に前記コンポーネントの重要度が付与されることを特徴としてもよい。
【００３７】
さらに他の一実施形態によると、検索ロボットを利用したサイトのクローリング時に、前記重要度が情報の重要度として反映されることを特徴としてもよい。
【００３８】
コンピュータシステムによって実現されるサイト管理システムであって、複数のコンポーネントを提供するコンポーネント提供部、前記複数のコンポーネントのうち選択される少なくとも１つのコンポーネントを含むカードを生成するカード生成部、前記カードに含まれる個別コンポーネントを編集するための編集機能および前記カードに含まれるコンポーネントを再構成するための再構成機能を提供する機能提供部、および前記カードに対応するページおよび前記カードを１つのコンポーネントとして含むページのうち少なくとも１つを含むサイトを生成するサイト生成部を備え、前記コンポーネントは、サイト製作のために必要な構成要素を目的および機能のうち少なくとも１つに応じて集合させた構成単位であることを特徴とするサイト管理システムが提供される。
【発明の効果】
【００３９】
ユーザが数回のクリックだけで自身の所望するウェブ／モバイルサイトの全体的な形状、さらに詳細的なコンポーネントの形状を構築できるように支援することができる。
【００４０】
ウェブ／モバイルサイトに含まれる個別のウェブ／モバイルページを多様な機能が予め規定されたカードの形態でユーザに提供し、ユーザが提供されたカードを選択および組み合わせることによってウェブ／モバイルサイトを製作できるように支援することができる。
【００４１】
空のカード上に多様なコンポーネントをユーザが多様に組み合わせて使用可能に自由度を付与したカードである一般カードと特殊機能が含まれた機能カードとに区分して定義されたカードを提供し、外部開発者によって開発される機能カードの登録および販売によって新たな収益を創出することができる。
【００４２】
ウェブ／モバイルサイトを編集するための構成要素を予めコンポーネントの単位で定義してユーザに提供し、ユーザが提供されたコンポーネントを選択および組み合わせることによってウェブ／モバイルサイトに含まれる個別のモバイルページを製作できるように支援することができる。
【図面の簡単な説明】
【００４３】
【図１】本発明の一実施形態において、ユーザ端末とサイト管理システムとの間の概括的な様子を例示した図である。
【図２】本発明の一実施形態において、クイックエディタの実行画面を例示した図である。
【図３】本発明の一実施形態において、ユーザがカードの構成を変更した画面を例示した図である。
【図４】本発明の一実施形態において、ユーザが業種を選択する画面を例示した図である。
【図５】本発明の一実施形態において、業種が変更された画面を例示した図である。
【図６】本発明の一実施形態において、サイトを編集するための画面を例示した図である。
【図７】本発明の一実施形態において、コンポーネントを追加し、追加されたコンポーネントを編集する画面を例示した図である。
【図８】本発明の一実施形態において、コンポーネントを編集する画面を例示した図である。
【図９】本発明の一実施形態において、ボタン機能を編集する画面を例示した図である。
【図１０】本発明の一実施形態において、リードフォームカードを編集する画面を例示した図である。
【図１１】本発明の一実施形態において、インデックスカードに他のカードのイメージが配置された画面を例示した図である。
【図１２】本発明の一実施形態において、イメージをドラッグしてイメージの位置とサイズを変更した画面を例示した図である。
【図１３】本発明の一実施形態において、サイト管理システムの内部構成を説明するためのブロック図である。
【図１４】本発明の一実施形態において、サイト管理方法を示したフローチャートである。
【図１５】本発明の他の実施形態において、サイト管理システムの内部構成を説明するためのブロック図である。
【図１６】本発明の他の実施形態において、サイト管理方法を示したフローチャートである。
【図１７】本発明のさらに他の実施形態において、サイト管理システムの内部構成を説明するためのブロック図である。
【図１８】本発明のさらに他の実施形態において、サイト管理方法を示したフローチャートである。
【図１９】本発明の一実施形態において、コンピュータシステムの内部構成の一例を説明するためのブロック図である。
【発明を実施するための形態】
【００４４】
以下、本発明の実施形態について、添付の図面を参照しながら詳細に説明する。
【００４５】
本発明の実施形態は、ユーザが容易かつ簡便にウェブ／モバイルサイトを構築することを支援できるツールを含むサイト管理システムを提供するものである。
【００４６】
図１は、本発明の一実施形態において、ユーザ端末とサイト管理システムとの間の概括的な様子を例示した図である。
【００４７】
サイト管理システム１００は、ユーザがウェブサイトやモバイルサイトを構築することを支援するサーバであってもよい。以下ではモバイルサイトの製作を例示して説明するが、これは一実施形態に過ぎず、モバイルサイトだけではなくウェブサイトの製作にも利用が可能であることは当然である。
【００４８】
ユーザ端末１１０は、ＰＣ、スマートフォン、またはタブレットなどのようにネットワークを介してサイト管理システム１００と関連するウェブ／モバイルサイトにアクセスし、サイト管理システム１００のサービス提供を受けることが可能であるか、またはサービス専用アプリケーションのインストールおよび実行によってサイト管理システム１００のサービス提供を受けることが可能なすべての端末装置を意味してもよい。このとき、ユーザ端末１１０は、ウェブ／モバイルサイトまたはサービス専用アプリケーションの制御の下に、サービス画面構成、データ入力、データ送受信、データ格納などのようなサービス全般の動作を実行してもよい。
【００４９】
サイト管理システム１００は、ユーザ（一般ユーザまたは広告主）がモバイルサイトを製作することができる著作ツールを提供してもよい。特に、サイト管理システム１００は、ユーザが数回のクリックだけで自身の所望するウェブ／モバイルサイトの全体的な形状、さらに詳細的なコンポーネントの形状を構築できるように支援してもよい。
【００５０】
本発明の実施形態において、１つのモバイルサイトは、少なくとも１つのモバイルページを含んでもよい。個別のモバイルページは、多様な機能が予め規定された「カード」の形態でユーザに提供されてもよく、このようなカードが集まって１つのモバイルサイトが構成されてもよい。このとき、２つ以上のカードが１つのページとして実現されてもよい。また、カードを構成するコンポーネントは、サイト製作のために必要な構成要素を目的および機能のうち少なくとも１つに応じて集合させた構成単位であってもよい。例えば、テキストコンポーネントとは、ページにおいて、該当するコンポーネントの位置にユーザが入力したテキストを表示させるための構成単位であってもよい。他の例として、イメージコンポーネントとは、ページにおいて、該当するコンポーネントの位置にユーザが入力したイメージを表示させるための構成単位であってもよい。さらに他の例として、地図コンポーネントとは、ページにおいて、該当するコンポーネントの位置にユーザが選択した位置の地図を表示させるための構成単位であってもよい。
【００５１】
このとき、サイト管理システム１００は、多様なカードを多様な条件に応じて分類して管理し、ユーザが要求する条件に合うカードをランダムに構成して提供することにより、ユーザが簡単な条件を入力または選択するだけでモバイルサイトの形状を構築できるように支援してもよい。以下では、モバイルサイトの形状、さらに個別のモバイルページの形状の構築を支援するツール（以下、「クイックエディタ」と称する）について説明する。
【００５２】
図２は、本発明の一実施形態において、クイックエディタの最初の実行画面を例示した図である。
【００５３】
図２の第１画面２００を詳察すると、第１点線ボックス２１０は業種を選択するための第１ユーザインタフェースを、第２点線ボックス２２０はカードの構成を変更するための第２ユーザインタフェースを、第３点線ボックス２３０はカードのカラートーンを変更するための第３ユーザインタフェースをそれぞれ示している。
【００５４】
このとき、ユーザは、第１ユーザインタフェースに提示される多様な業種のうち１つの業種を選択してもよい。このとき、業種別メニュー（一例として、図２の第４点線ボックス２４０に示された「会社名」メニュー、「会社紹介」メニュー、「商品情報」メニュー、「利用案内」メニュー、「ギャラリ」メニュー、および「Ｑ＆Ａ」メニュー）は、業種に応じて互いに異なるように構成されてもよい。
【００５５】
また、ユーザは、第２ユーザインタフェースを利用することにより、選択された業種に対するカードの構成を変更してもよい。例えば、ユーザが第２ユーザインタフェースで提供された「構成変更」ボタンをクリックした場合、各メニューに対応するカードが各メニュー別にランダムに変更されてもよい。各メニュー別に変更可能なカードの数は、業種および／またはメニューに応じて異なってもよい。例えば、「会社名」メニューに関しては変更可能な１１枚のカードが提供され、「Ｑ＆Ａ」メニューに関しては変更可能な２枚のカードが提供されてもよい。
【００５６】
また、ユーザは、第３ユーザインタフェースを利用することにより、カードに適用されるカラーを変更してもよい。このようなカラーは、カラーの適用が可能なカードに一括適用されてもよい。
【００５７】
ここで、上述したように、カードは１つのモバイルページに対応してもよく、１つのメニューは１つ以上のカードを含んでもよい。１つのメニューが１つ以上のカードを含む例については、後述でさらに詳しく説明する。
【００５８】
第４点線ボックス２４０は、第１画面２００で選択された業種である「掃除」と関連して予め構成されているメニューに応じ、メニューごとに１つのカードが表示された例を示している。ユーザが表示されたカードを適用する場合、第４点線ボックス２４０に表示されている６枚のカードがそれぞれ１つのモバイルページの形状を示すようになり、それぞれのモバイルページが集まって１つのモバイルサイトが構築されるようになる。第４点線ボックス２４０に示されているカードは、モバイルページの形状に対するサムネイルであってもよい。サムネイルは、カードの形状（モバイルページの形状）を含んだサンプルイメージであってもよい。図に示されているサムネイルは、カードの形状をユーザにプレビュー形式で提供するサンプルイメージであり、サムネイルに含まれた内容は本発明の実施形態を理解するにおいて重要なものではない。
【００５９】
第５点線ボックス２５０は、現在はデフォルトであって、選択された「会社名」メニューに関して適用可能なカードのテンプレートが表示されたサムネイルを示している。ユーザがテンプレートを変更したい場合には、該当するメニューのカードを選択されたテンプレートのカードに変更してもよい。言い換えれば、特定のメニューに適用可能なテンプレートの数が、該当するメニューに対して変更可能なカードの数に対応してもよい。
【００６０】
カードの形状を示すサムネイルとコンポーネントの組み合わせを形状化したテンプレートのサムネイルにより、ユーザは所望するモバイルサイトの形状とモバイルページの形状を容易に確認および変更できるようになる。
【００６１】
図３は、本発明の一実施形態において、ユーザがカードの構成を変更した画面を例示した図である。
【００６２】
図３の第２画面３００は、ユーザが第１画面２００で第２ユーザインタフェースとして提供された「構成変更」ボタンをクリックすることにより、第１画面２００が第２画面３００のように変更された様子を示している。例えば、第２画面３００で第６点線ボックス３１０は、第１画面２００における第４点線ボックス２４０と比較したとき、「会社名」メニュー、「商品情報」メニュー、および「ギャラリ」メニューのカードが変更していることが分かる。
【００６３】
このとき、第７点線ボックス３２０は、「会社名」メニューに該当するカードの変更に応じ、変更されたカードに対応するテンプレートが、現在は「会社名」メニューに対応するカードのテンプレートに変更されて表示された様子を示している。
【００６４】
このように、サイト管理システム１００は、業種別に多様なメニューとカード、さらには多様なカラーを保有し、業種、カード、およびカラーの選択に応じてユーザが容易かつ簡便に自身の所望するモバイルサイトの形状（さらには個別のモバイルページの形状）を構築できるようにサービスを提供することができる。
【００６５】
図４は、本発明の一実施形態において、ユーザが業種を選択する画面を例示した図である。
【００６６】
図４の第３画面４００において、第８点線ボックス４１０は、ユーザが所望する業種を選択するための第１ユーザインタフェースに、予め規定された多様な業種に関する情報（「金融」、「ネイル」、「運転代行」など）が表示された様子を示している。ユーザはこのような第１ユーザインタフェースを利用することで、予め規定された業種のうちから１つの業種を選択してモバイルサイトの形状を構築したり、「その他」業種を利用して自分なりの業種に合ったモバイルサイトの形状を構築したりできる。
【００６７】
図５は、本発明の一実施形態において、業種が変更された画面を例示した図である。
【００６８】
図５の第４画面５００は、図４の第３画面４００でユーザが業種「レジャー」を選択することにより、メニューとメニューそれぞれに対応するカードとが第９点線ボックス５２０のように変更した様子を示している。ユーザが第２ユーザインタフェースを利用してカードの構成を変更した場合、業種「レジャー」のメニューと関連して適用可能な多様な他のカードが、メニューと関連して第９点線ボックス５２０に表示されてもよい。
【００６９】
また、第１０点線ボックス５３０は、現在選択されているメニュー（「会社名」メニュー）に対応するカードのテンプレートと、現在選択されているメニューに適用可能な他のテンプレート（他のカード）を示している。
【００７０】
このように、ユーザは、業種、構成、カラーセット、テンプレートを変更するという数回のクリックだけでモバイルサイトの形状、さらにモバイルサイトに含まれるモバイルページの形状を変更し、ユーザが所望するモバイルサイトをより容易に構築することができる。
【００７１】
例えば、サイト管理システム１００が２０種類のそれぞれの業種別に２０種類のメニューを予め規定しており、各メニュー別に１枚から１１枚のカード（テンプレート）を選択することができ、合計１２種類のカラーセットを提供すると仮定しよう。この場合、ユーザが構築することができるモバイルサイトの形状の組み合わせは、合計４８００（２０×２０×１×１２）から５２８００（２０×２０×１１×１２）の間となる。もちろん、提供可能な業種の数やメニューの数、メニュー別カードの数、またはカラーの数によるさらに多様な組み合わせによってモバイルサイトの形状が提供されることは当然である。例えば、クイックエディタの実行時に、ランダムにカードが配列され、ユーザが構成変更ボタンを押すたびにカードを新たに配置し直すことにより、ユーザが重複することなくテンプレートを使用できるように実現してもよい。
【００７２】
このとき、各メニュー別テンプレート（カード）はランダムに提供されてもよいが、ユーザ経験が蓄積すると、単純なランダムではなく、ユーザからの選択が多い順（ユーザ選好度）を反映して提供してもよい。例えば、ユーザ選好度が高いテンプレートが先に表示されるように提供され、ユーザ選好度が同じテンプレートはランダムな順に表示されるようにしてもよい。
【００７３】
以上では、モバイルサイトと個別のモバイルページの形状を構築する例について説明した。以下では、個別のモバイルページの実際の内容を編集する例について説明する。
【００７４】
図６は、本発明の一実施形態において、サイトを編集するための画面を例示した図である。
【００７５】
第５画面６００で第１１点線ボックス６１０は、モバイルサイトに対して現在設定されているメニューとカードに関する情報を示している。それぞれのメニューに対してはメニュー名を変更するための第５ユーザインタフェースが提供されてもよく、それぞれのカードに対してはカードを追加または削除するための第６ユーザインタフェースが提供されてもよい。
【００７６】
また、第１２点線ボックス６２０は、メニューやカードを別途追加することができる第７ユーザインタフェースを示している。
【００７７】
また、第１３点線ボックス６３０は、現在選択されているカードにコンポーネントを追加するための第８ユーザインタフェースを示している。例えば、コンポーネントは、第１３点線ボックス６３０に示されているように、「テキスト」、「イメージ」、「イメージ＋テキスト」、「ギャラリ」、「地図」などのような多様な上位コンポーネントと、上位コンポーネントを選択すると追加で表示される「左側イメージ型」、「右側イメージ型」、「タイル型」、および「ビックイメージ型」のような多様な下位コンポーネントを含んでもよい。下位コンポーネントを選択した場合には、該当する下位コンポーネントが選択されたカードに追加されてもよい。
【００７８】
また、第１４点線ボックス６４０は、現在選択されているカードに対するプレビュー機能を提供する第９ユーザインタフェースを示している。
【００７９】
また、第１５点線ボックス６５０は、カードに対するプレビュー機能を利用することによって表示されるコンポーネントを選択した場合、該当のコンポーネントを編集することができる機能を提供する第１０ユーザインタフェースを示している。
【００８０】
図７は、本発明の一実施形態において、コンポーネントを追加し、追加されたコンポーネントを編集する画面を例示した図である。
【００８１】
第６画面７００には、第８ユーザインタフェースを利用して第１６点線ボックス７１０に表示された「左側イメージ型」コンポーネントが選択された場合、第９ユーザインタフェースのプレビュー機能を利用して第１７点線ボックス７２０のように「左側イメージ型」コンポーネントが追加された様子が示されており、追加された「左側イメージ型」コンポーネントが選択された場合、第１８点線ボックス７３０のように「イメージ＋テキスト」コンポーネントを編集するための第１１ユーザインタフェースが表示された様子を示している。ユーザは、第１８点線ボックス７３０に現れた第１１ユーザインタフェースを利用して追加の「左側イメージ型」コンポーネントを利用することにより、表示しようとするテキストやイメージを入力または選択してもよい。
【００８２】
このとき、第１７点線ボックス７２０に示すように、コンポーネントは、コンポーネントを下に積んでいく構造によって追加されてもよい。例えば、第１９点線ボックス７４０に示されたコンポーネントと第２０点線ボックス７５０に示されたコンポーネントの下に「左側イメージ型」コンポーネントが追加されたことが分かる。このように、単純に縦に積んでいく構造によってコンポーネントを追加することにすると、使用方法が極めて簡単であるため、ユーザが誰でも容易にコンポーネントを追加することができ、専門的な知識がなくてもモバイルサイトを構築することができる。
【００８３】
また、それぞれのコンポーネントは、第２１点線ボックス７６０に示すように、コンポーネントを移動させたり複写または削除したりするための第１２ユーザインタフェースを含んでもよい。このような第１２ユーザインタフェースを利用することにより、ユーザは１つのモバイルページ内でコンポーネントの位置を容易に移動させることができる。
【００８４】
図８は、本発明の一実施形態において、コンポーネントを編集する画面を例示した図である。
【００８５】
第７画面８００で第２２点線ボックス８１０は、テキストとイメージを登録する様子を示しており、第２３点線ボックス８２０は、該当のコンポーネントに登録されたテキストとイメージが反映された様子を示している。
【００８６】
このように、左側の「コンポーネント追加」領域（図６の第１３点線ボックス６３０の領域を参照）を利用してコンポーネントを追加する機能を提供し、中央のプレビュー機能が含まれた領域（図６の第１４点線ボックス６４０を参照）を利用してコンポーネントの選択、移動、複写、削除などの機能を提供し、右側の編集領域（図６の第１５点線ボックス６５０を参照）を利用して選択されたコンポーネントにコンテンツを入力したり該当のコンポーネントを編集したりできる機能を提供することにより、制限された領域内でユーザが簡潔にモバイルページを編集することができる。
【００８７】
また、コンポーネント単位で構成されたモバイルページに関しては、各コンポーネント別に属性を付与（一例として、テキスト、イメージ、地図、ギャラリ、ボタン、表、動画など）し、重要度を付与することにより、検索ロボットが重要度の高い情報を容易に把握してクローリングすることができる。例えば、テキスト属性のコンポーネントには、文字が大きいほど高い重要度が付与されてもよい。１つのページに大きい文字サイズ１６を有するテキスト「ホテル」と小さい文字サイズ１４を有するテキスト「パッケージ」が存在する場合、テキスト「パッケージ」よりもテキスト「ホテル」にさらに高い重要度が付与されてもよい。この場合、重要度は、該当のページや該当のページが含まれたサイトの代表キーワード（または重要キーワード）を抽出するにおいて、各キーワードの加重値として利用されてもよい。また、該当のページのタグを抽出するために重要度が利用されてもよい。他の例として、テキストのカラーやイメージ属性のコンポーネントに関し、イメージのサイズなどのような属性別に多様な重要度が付与され活用されてもよい。
【００８８】
また、特定の属性のコンポーネントに対してコンテンツを一括変更（カラー、文字サイズ、イメージのサイズ／位置など）したり言語を変更したり、または特殊効果を付与するなどの機能を提供してもよい。例えば、「テキスト」性能を有するコンポーネントの言語を「韓国語」から「英語」に変更する場合、ハングルモバイルページを容易に英文モバイルページに変更して製作してもよい。他の例として、「左側イメージ型」コンポーネントをすべて「右側イメージ型」コンポーネントに変更するなど、同一属性のコンポーネントに対して多様な一括変更の適用が可能となる。
【００８９】
図９は、本発明の一実施形態において、ボタン機能を編集する画面を例示した図である。
【００９０】
モバイルサイトの場合、モバイル環境で活用可能な機能がモバイルページに含まれてもよい。第８画面９００の第２４点線ボックス９１０は、「カード移動」、「電話」、「メッセージ」、「電子メール」、「外部リンク」のように、モバイルで活用可能な多様な機能を特定のコンポーネントに追加するための第１３ユーザインタフェースを示している。
【００９１】
「カード移動」として生成されたボタンは、当該モバイルページの提供を受けたアクセス者が現在のコンポーネントのカードから特定の属性のカード（一例として、「会社名」カードや「会社紹介」カード、または「地図」カード）に移動するための機能を提供してもよい。
【００９２】
また、「電話」として生成されるボタンは、当該モバイルページの提供を受けたアクセス者が「電話」によって予め設定されている電話番号に電話をかけるようにアクセス者のモバイル端末を制御するための機能を提供してもよい。
【００９３】
また、「メッセージ」によって生成されるボタンは、当該モバイルページの提供を受けたアクセス者が「メッセージ」を利用して予め設定された電話番号にメッセージを送信するようにアクセス者のモバイル端末を制御するための機能を提供してもよい。
【００９４】
「電子メール」によって生成されるボタンは、当該モバイルページの提供を受けたアクセス者が「電子メール」を利用して予め設定された電子メールアドレスに電子メールを発送するようにアクセス者のモバイル端末を制御するための機能を提供してもよい。
【００９５】
「外部リンク」によって生成されるボタンは、当該モバイルページの提供を受けたアクセス者が「外部リンク」を利用して予め設定されたリンクによるページにアクセスするようにアクセス者のモバイル端末を制御するための機能を提供してもよい。
【００９６】
以後では、モバイルページに対応するカードについてさらに詳しく説明する。
【００９７】
本発明の実施形態において、カードは、一般カードと機能カードとに分類されてもよい。
【００９８】
一般カードとは、空のカード上に多様なコンポーネントを多様に組み合わせることによって自由度を付与したカードであってもよい。このような一般カードは自由度が高く、ユーザが所望する形状に容易に変更したり、所望するコンテンツを自由に入力したりできる。
【００９９】
機能カードとは、多様な要求条件を合わせるための特殊な機能を含むカードであってもよい。このような機能カードは、ユーザの選択に応じ、独自的な１つのページで構成されたり、一般カードに組み合わされる１つのコンポーネントとして構成されたりしてもよい。例えば、スケジュール管理のための機能カードは、それ自体がスケジュール管理ページとして構成されてもよく、管理ページに含まれるコンポーネントとして構成されてもよい。このような機能カードの活用は、ユーザの要求に応じて決められてもよい。
【０１００】
機能カードの例としては、掲示板カードやリードフォームカード、またはインデックスカードが挙げられる。
【０１０１】
掲示板カードとは、当該モバイルページの提供を受けたアクセス者が、アクセス者のモバイルで掲示文の入力を受け、ユーザにお知らせを提供し、ユーザがモバイル環境やＰＣ環境で掲示文を管理することができる機能を提供するためのカードであってもよい。
【０１０２】
リードフォームカードとは、ユーザがアクセス者から特定情報の入力を所望するフォームで受けることができるように構成されるカードであってもよい。リードフォームカードを利用する場合、ユーザは精選されたデータを受信して管理することができるようになる。
【０１０３】
図１０は、本発明の一実施形態において、リードフォームカードを編集する画面を例示した図である。第９画面１０００はリードフォームカードの例であって、当該モバイルページへのアクセス者から、アクセス者の「名前」、「連絡先」、「電子メール」、ユーザが所望するサービスに関する「日付」、またはその他の情報入力をユーザが所望するフォームで受けることができる多様な機能を提供してもよい。
【０１０４】
インデックスカードとは、特定カードのイメージに基づいてモバイルサイトに対するインデックスページを構成することができるカードであって、基本サイズで提供されるイメージをユーザがドラッグすることにより、インデックスページに表示するためのイメージのサイズを設定することができる。
【０１０５】
図１１は、本発明の一実施形態において、インデックスカードに他のカードのイメージが配置された画面を例示した図であり、図１２は、本発明の一実施形態において、イメージをドラッグしてイメージの位置とサイズを変更した画面を例示した図である。
【０１０６】
第１０画面１１００は、「会社紹介」メニューに対応するカードのイメージ、「講師紹介」メニューに対応するカードのイメージ、「プログラム１」メニューに対応するカードのイメージ、および「ギャラリ」メニューに対応するカードのイメージを利用してそれぞれのカードに移動することができるインデックスが表示されたインデックスカードの編集画面を示している。
【０１０７】
このとき、ユーザはそれぞれのイメージをドラッグすることにより、第１１画面１２００のようにイメージのサイズと位置を変更させてもよい。
【０１０８】
この他に提供可能な機能カードは、一例として、「ゲーム」、「予約−在庫管理」、「スケジュール管理」、「日記帳」、「家計簿」などのように、モバイルサイトで必要となるすべての形態のカードを含んでもよい。このような機能カードは、多様な機能を有するように製作されてサイト管理システム１００に登録されてもよく、ユーザに提供されてもよい。
【０１０９】
一方、機能カードは、サイト管理システム１００が自身によって製作して提供してもよく、第三者（例えば、外部開発者あるいはユーザなど）によってモジュール単位で開発されてサイト管理システム１００に登録されてもよい。
【０１１０】
以上で説明した一般カードおよび／または機能カードは、サイト管理システム１００の収益モデルとして活用されてもよい。
【０１１１】
一実施形態において、サイト管理システム１００は、サイトの生成に利用された機能カードの個数および種類のうち少なくとも１つに基づいてユーザに課金してもよい。例えば、機能カードごとに利用のための料金が予め設定されてもよい。このとき、ユーザがサイトの生成にどのような機能カードまたはいくつの機能カードを利用するのかに応じてサイト生成のための料金がユーザに課金されてもよい。
【０１１２】
他の実施形態として、サイト管理システム１００は、サイトの生成に利用された機能カードの機能がサイトの訪問者によって実行された回数に基づいてユーザに課金してもよい。例えば、サイトが生成および表示されると、訪問者は表示されたサイトを訪問することができる。このとき、訪問者がサイトで機能カードの機能を利用する場合、このような機能カードの機能が実行された回数がサイト管理システム１００によってカウントされてもよく、機能の実行により、予め設定された費用と実行された回数に応じて決められた料金がユーザに課金されてもよい。このとき、機能の実行により予め設定される費用は、機能カードの機能ごとに異なってもよい。
【０１１３】
さらに他の実施形態として、サイト管理システム１００は、機能カードを予め設定された費用でユーザに販売してもよい。言い換えれば、ユーザは、ユーザが購入した機能カードを利用してサイトを生成してもよい。例えば、ユーザにカードを提供するとき、すべての種類の一般カードとユーザが購入した機能カードがユーザに提供されてもよい。このとき、機能カードの販売／購入のための費用は、機能カードごとに異なってもよい。
【０１１４】
さらに他の実施形態として、サイト管理システム１００は、カードの組み合わせをユーザに販売してもよい。例えば、カードの組み合わせは、一般カードのみを含んでもよく、機能カードのみを含んでもよく、一般カードと機能カード両方を含んでもよい。
【０１１５】
さらに他の実施形態として、サイト管理システム１００は、カードの組み合わせをユーザに提供し、組み合わされたカードのうちの特定カードの使用に対して課金をしたり、組み合わされたカードのうちの機能カードの機能の実行に対して課金をしたりするなど、多様な方式によってユーザに課金をしてもよい。
【０１１６】
カードが第三者（外部開発者あるいはユーザ）によって生成された場合、カードによって発生する収益は、カードを生成した第三者に配分されてもよい。
【０１１７】
以上では、サイトが「業種」によって分類される実施形態について説明したが、サイトの分類が業種に限定されることはない。このような業種は、生成されるサイトを分類するための「カテゴリ」の一例に過ぎない。カテゴリには、業種だけではなく、音楽、映画、辞書、不動産などのような多様なコンテンツの種類、あるいは業者か個人かなど多様に区分されて含まれてもよい。
【０１１８】
図１３は、本発明の一実施形態において、サイト管理システムの内部構成を説明するためのブロック図であり、図１４は、本発明の一実施形態において、サイト管理方法を示したフローチャートである。
【０１１９】
本実施形態に係るサイト管理システム１３００は、図１３に示すように、情報カード管理部１３１０、カード提供部１３２０、およびカード変更部１３３０を備えてもよく、必要によっては選択的に、サイト形状生成部１３４０、サンプルイメージ提供部１３５０、サムネイル提供部１３６０、カードカラー変更部１３７０、およびカウント部１３８０をさらに備えてもよい。本実施形態に係るサイト管理方法は、サイト管理システム１３００またはサイト管理システム１３００が備える構成要素によって実行されてもよい。
【０１２０】
ステップ１４１０で、カード管理部１３１０は、カテゴリに応じて予め構成されたメニューそれぞれに複数のカードを対応させて管理してもよい。このとき、メニューそれぞれに対応する複数のカードは、互いに異なるテンプレート構造を有してもよい。カテゴリとして業種を利用し、業種別にメニューとカードを管理する構成については、上述で詳しく説明したとおりである。
【０１２１】
ステップ１４２０で、カード提供部１３２０は、サイト製作のために提供されるツールを利用して伝達されるカテゴリに応じて予め構成されたメニューと、メニューそれぞれに対してランダムにまたは予め設定された規則にしたがって選択されたカードを提供してもよい。サイト製作のために提供されるツールとしてクイックエディタを利用して業種別にメニューとメニュー別にカードを提供する実施形態については、上述で詳しく説明したとおりである。このようなツールは、ウェブ／モバイルページの形態や専用のアプリケーションの形態でユーザに提供されてもよい。
【０１２２】
ステップ１４３０で、カード変更部１３３０は、ツールを利用して伝達される再構成要請に応じ、メニューそれぞれに対するカードをランダムにまたは予め設定された規則にしたがって再選択して提供してもよい。例えば、メニューＡに対応してカードａ、ｂ、ｃ、ｄ、ｅが対応しており、ステップ１４２０で、メニューＡに対してはカードｃが選択されて提供されたと仮定しよう。このとき、カード変更部１３３０は、メニューＡに対するカードを、カードａ、ｂ、ｃ、ｄ、ｅのうちからランダムにまたは予め設定された規則にしたがって再選択して提供してもよい。
【０１２３】
他の実施形態として、サイト管理方法は、上述したステップ１４１０〜ステップ１４３０の他にも、ツールを利用して伝達される適用要請に応じ、メニューをサイトのメニューとして含み、カードをページとして含むサイトの形状を生成するステップ（図示せず）をさらに含んでもよい。このような図に示されてないステップは、上述したサイト形状生成部１３４０によって実行されてもよい。サイトのページにコンテンツを追加するなどの編集は、サイトの形状が生成された後に、メニュー別、カード別、さらにカードに含まれるコンポーネント別に行われてもよい。
【０１２４】
さらに他の実施形態として、サイト管理方法は、上述したステップ１４１０〜ステップ１４３０の他にも、選択されたカードまたは再選択されたカードに対応するサンプルイメージを提供するステップ（図示せず）をさらに含んでもよい。このような図に示されていないステップは、上述したサンプルイメージ提供部１３５０によって実行されてもよい。例えば、図２の第４点線ボックス２４０には、多様な業種（カテゴリの具体化例）別のメニュー（「会社名」メニューや「会社紹介」メニューなど）に対応してサンプルイメージが提供された例が示されている。
【０１２５】
さらに他の実施形態として、サイト管理方法は、上述したステップ１４１０〜ステップ１４３０の他にも、メニューのうち選択されたメニューに対応する複数のカードのテンプレート構造に対するサムネイルを、ツールを利用して提供するステップ（図示せず）をさらに含んでもよい。このような図に示されていないステップは、上述したサムネイル提供部１３６０によって実行されてもよい。このとき、提供されたサムネイルのうちツールを利用して選択されたサムネイルに応じて、選択されたメニューに対応するカードが変更されてもよい。例えば、図２の第５点線ボックス２５０には、１つの業種別メニューに対して複数のカードが対応している場合、該当のカードに含まれるテンプレート構造に対するサムネイルを提供する例が示されている。この場合、ツールから選択されるサムネイルに応じて、複数のカードが対応する業種別メニューに対して選択されるカードが変更されてもよい。例えば、図２の第５点線ボックス２５０には１番目のテンプレート構造のカードが「会社名」メニューに対応する例を示しているが、ユーザが２番目のテンプレート構造のサムネイルを選択する場合、２番目テンプレート構造のカードが「会社名」メニューに対応するカードに変更されてもよい。
【０１２６】
さらに他の実施形態として、サイト管理方法は、上述したステップ１４１０〜ステップ１４３０の他にも、ツールを利用して伝達されるカラー変更要請に応じて、メニューそれぞれに対するカードをカラー変更要請に対応するカラーのカードに一括変更して提供するステップ（図示せず）をさらに含んでもよい。このような図に示されていないステップは、上述したカードカラー変更部１３７０によって実行されてもよい。
【０１２７】
さらに他の実施形態として、サイト管理方法は、上述したステップ１４１０〜ステップ１４３０の他にも、それぞれのカードがサイトの生成のために選択された回数をカテゴリおよびメニューのうちの少なくとも１つによってカウントするステップ（図示せず）をさらに含んでもよい。このような図に示されていないステップは、上述したカウント部１３８０によって実行されてもよい。このとき、カードは、それぞれのカードが選択された回数に基づいて算出されるユーザのテンプレート構造に対する選好度を反映し、メニューそれぞれに対して選択されてもよい。一例として、カード提供部１３２０やカード変更部１３３０は、このような選好度に基づいて提供するカードを選択してもよい。
【０１２８】
図１５は、本発明の他の実施形態において、サイト管理システムの内部構成を説明するためのブロック図であり、図１６は、本発明の他の実施形態において、サイト管理方法を示したフローチャートである。本実施形態に係るサイト管理システム１５００は、図１５に示すように、コンポーネント提供部１５１０、カード生成部１５２０、機能提供部１５３０、およびサイト生成部１５４０を備えてもよい。本実施形態に係るサイト管理方法は、サイト管理システム１５００またはサイト管理システム１５００が備える構成要素によって実行されてもよい。
【０１２９】
ステップ１６１０で、コンポーネント提供部１５１０は、複数のコンポーネントを提供してもよい。ここで、コンポーネントは、上述したように、サイト製作のために必要な構成要素を目的および機能のうち少なくとも１つに応じて集合させた構成単位であってもよい。
【０１３０】
ステップ１６２０で、カード生成部１５２０は、複数のコンポーネントのうちから選択される少なくとも１つのコンポーネントを含むカードを生成してもよい。例えば、ユーザがサイトを製作するために所望する目的や機能に合ったコンポーネントを配置させてもよく、カード生成部１５２０はこのようなコンポーネントを含むカードを生成してもよい。
【０１３１】
ステップ１６３０で、機能提供部１５３０は、カードに含まれる個別のコンポーネントを編集するための編集機能およびカードに含まれるコンポーネントを再構成するための再構成機能を提供してもよい。このような編集機能および再構成機能は、図６〜図１２を参照しながら上述したとおりである。
【０１３２】
ステップ１６４０で、サイト生成部１５４０は、カードに対応するページおよびカードを１つのコンポーネントとして含むページのうち少なくとも１つを含むサイトを生成してもよい。生成されたサイトは、インターネットなどを介して外部に表示されてもよい。例えば、サイトとサイトに含まれたページにはそれぞれＵＲＬ（Ｕｎｉｆｏｒｍ  Ｒｅｓｏｕｒｃｅ  Ｌｏｃａｔｏｒ）が設定されてもよく、設定されたＵＲＬを介して外部から該当のサイトまたはサイトに含まれるページにアクセスできるようになる。
【０１３３】
他の実施形態として、機能提供部１５３０は、必要によっては選択的に、ツール提供部１５３１、コンポーネント追加部１５３２、編集機能提供部１５３３、およびプレビュー画面提供部１５３４を備えてもよい。このとき、ツール提供部１５３１、コンポーネント追加部１５３２、編集機能提供部１５３３、およびプレビュー画面提供部１５３４が実行する構成はそれぞれ、ステップ１６３０に含まれるステップであってもよい。
【０１３４】
ツール提供部１５１０は、コンポーネント選択領域、プレビュー領域、および属性編集領域が含まれたツールをユーザの端末機にネットワークを介して提供してもよい。図６〜図１２を参照しながら、このようなコンポーネント選択領域、プレビュー領域、および属性編集領域について詳しく説明した。
【０１３５】
コンポーネント追加部１５２０は、ツールを利用して選択されたカードに、コンポーネント選択領域によって選択されるコンポーネントを、選択されたカードの上から下の順に追加してもよい。ここで、コンポーネントの幅は、選択されたカードの幅に対応させてもよい。このようなコンポーネントの幅は、コンポーネントをカードの上から下へと縦方向に積んでいく構造によって提供するためのものであってもよい。
【０１３６】
編集機能提供部１５３０は、プレビュー領域で選択されるコンポーネントの編集のためのユーザインタフェースを属性編集領域によって提供してもよい。このような属性編集領域については、上述で詳しく説明したとおりである。例えば、図８では、テキストとイメージなどのコンテンツをコンポーネントに入力する例を説明した。
【０１３７】
プレビュー画面提供部１５４０は、コンポーネントが追加されたりコンポーネントが編集されたりする場合、追加されたコンポーネントまたは編集されたコンポーネントが反映されたカードのプレビュー画面をプレビュー領域に提供してもよい。このようなプレビュー領域は、カードに含まれたコンポーネント間の順序を変更するためのユーザインタフェースを含んでもよい。
【０１３８】
このように、コンポーネントの組み合わせによってカードが構成されることにより、コンポーネント別に付与された属性別に重要度が付与されてもよい。カードは、ページに対応させたりページに含まれたコンポーネントに対応させたりしてもよく、検索ロボットを利用したサイトのクローリング時には、重要度がページに含まれた情報の重要度として反映されて活用されてもよい。このような重要度の付与および活用の例については、上述で詳しく説明したとおりである。
【０１３９】
図１７は、本発明のさらに他の実施形態において、サイト管理システムの内部構成を説明するためのブロック図であり、図１８は、本発明のさらに他の実施形態において、サイト管理方法を示したフローチャートである。本実施形態に係るサイト管理システム１７００は、図１７に示すように、カード提供部１７１０およびサイト生成部１７２０を備えてもよい。また、カード提供部１７１０は、必要によって選択的に、カード管理部１７１１およびカテゴリ別カード提供部１７１２を備えてもよい。本実施形態に係るサイト管理方法は、サイト管理システム１７００またはサイト管理システム１７００が備える構成要素によって実行されてもよい。
【０１４０】
ステップ１８１０で、カード提供部１７１０は、複数のカードを提供してもよい。複数のカードは、サイトに含まれるページあるいはページに含まれるコンポーネントに対応させてもよい。このような複数のカードは、ユーザによるコンポーネントの選択および組み合わせによって構成される一般カードと、機能と構造が予め定められた機能カードとに分類されてもよい。
【０１４１】
コンポーネントは、上述で説明したように、サイト製作のために必要な構成要素を目的および機能のうち少なくとも１つに応じて集合させた構成単位であってもよい。
【０１４２】
一般カードは、サイトのカテゴリおよびページのメニューのうち少なくとも１つによって提供されるコンポーネントのうち、ユーザの端末機で選択されたコンポーネントを組み合わせて構成されてもよい。例えば、サイト管理システム１７００は、１つの一般カードに関し、サイトのカテゴリおよびページのメニューのうち少なくとも１つによって予め選択されたコンポーネントをユーザに提供してもよい。このとき、ユーザは、１つの一般カードを、提供されたコンポーネントを選択および組み合わせて構成してもよい。
【０１４３】
機能カードは、特殊な機能を有するように自身によって製作されて提供される機能カード、および特殊な機能を有するように外部開発者によって製作されて登録された機能カードを含んでもよい。
【０１４４】
また、機能カードは、ユーザの選択に応じて、独自的な１つのページで構成されたり、一般カードに組み合わされる１つのコンポーネントで構成されたりしてもよい。
【０１４５】
他の実施形態として、ステップ１８１０は、必要によって選択的に、ステップ１８１１およびステップ１８１２を含んでもよい。
【０１４６】
ステップ１８１１で、カード管理部１７１１は、生成されるサイトを分類するためのカテゴリ別にカードを管理してもよい。
【０１４７】
ステップ１８１２で、カテゴリ別カード提供部１７１２は、ユーザの端末機で選択されたカテゴリに対応するカードを提供してもよい。
【０１４８】
ステップ１８２０で、サイト生成部１７２０は、提供された複数のカードのうちユーザの端末機で選択されたカードに対応するページおよび端末機で選択された少なくとも１つのカードをコンポーネントとして含むページのうち、少なくとも１つを含むサイトを生成してもよい。一部のカードはサイトに含まれた１つのページとして構成されてもよいが、カード（特に機能カード）が１つの一般カードに含まれるコンポーネントで構成されてもよいことは、上述で説明したとおりである。
【０１４９】
このとき、機能カードがサイト管理システム１００の収益モデルに活用されてもよいことも、上述で説明したとおりである。
【０１５０】
一実施形態として、サイト管理方法は、サイトの生成に利用された機能カードの個数および種類のうち少なくとも１つに基づいてユーザに課金するステップ（図示せず）をさらに含んでもよい。例えば、機能カードごとに機能カードの利用のための料金が予め設定されてもよい。このとき、ユーザがサイトの生成にどのような機能カードまたはいくつの機能カードを利用したかに応じて、サイト生成のための料金がユーザに課金されてもよい。このような図に示されてないステップは、サイト管理システム１７００がさらに備えてもよい課金部（図示せず）によって実行されてもよい。
【０１５１】
他の実施形態として、サイト管理方法は、サイトの生成に利用された機能カードに含まれる機能がサイトの訪問者によって実行された回数に基づいてユーザに課金するステップ（図示せず）をさらに含んでもよい。例えば、サイトが生成および表示されると、訪問者が表示されたサイトを訪問することができる。このとき、訪問者がサイトで機能カードの機能を利用した場合、このような機能カードの機能が実行された回数がサイト管理システム１７００またはサイト管理システム１７００に含まれる課金部（図示せず）によってカウントされてもよく、機能の実行により、予め設定された費用と実行された回数に応じて決められた料金がユーザに課金されてもよい。このとき、機能の実行により、予め設定される費用は、機能カードの機能ごとに異なってもよい。このような図に示されていないステップは、サイト管理システム１７００がさらに備えてもよい課金部（図示せず）によって実行されてもよい。
【０１５２】
さらに他の実施形態として、サイト管理方法は、機能カードを予め設定された費用でユーザに販売するステップ（図示せず）をさらに含んでもよい。言い換えれば、ユーザは、ユーザが購入した機能カードを利用してサイトを生成することができる。例えば、ユーザにカードを提供するとき、すべての種類の一般カードとユーザが購入した機能カードとがユーザに提供されてもよい。このとき、機能カードの販売／購入のための費用は、機能カードごとに異なってもよい。このような図に示されていないステップは、サイト管理システム１７００がさらに備えてもよい機能カード販売部（図示せず）によって実行されてもよい。
【０１５３】
さらに他の実施形態として、複数のカードのうち２つ以上のカードそれぞれにカードの付加情報を含むＵＲＬが割り当てられてもよい。例えば、ユーザは、下記の表１のようなサイトを生成することがある。
【０１５４】
【表１】
0006031535.tif 000002
【０１５５】
表１は、キーワード「インテリア」に関して４つのカードを含むランディングサイト「ｗｗｗ．ｉｎｔｅｒｉｏｒ．ｃｏ．ｋｒ」が生成された例を示している。このとき、ランディングサイトに含まれる４つのカードはそれぞれ、付加情報「価格」、「位置」、「ポートフォリオ」、および「レビュー」と関連しており、このような付加情報を含むＵＲＬがそれぞれのカードに割り当てられてもよい。
【０１５６】
この場合、サイト管理方法は、各カードを編集する画面において、ユーザが該当のカードに割り当てられたＵＲＬを確認したり複写したりすることができる機能を提供してもよい。
【０１５７】
本実施形態において、サイト管理方法は、アクセス者の端末機で検索語を受信するステップ（図示せず）、および検索語と関連する付加情報を含むＵＲＬのカードをランディングページとしてアクセス者の端末機に提供するステップ（図示せず）を含んでもよい。例えば、アクセス者が検索ウィンドウにインテリア価格に関する検索語（例えば、インテリア価格、低価なインテリア、インテリア価格情報、安いインテリアなど）を入力して検索をしようとする場合、ＵＲＬ「ｗｗｗ．ｉｎｔｅｒｉｏｒ．ｃｏ．ｋｒ／ｐｒｉｃｅ」に対応するカードがランディングページとしてアクセス者の端末機に提供されてもよい。他の例として、アクセス者からインテリアレビューに関する検索語が受信される場合、ＵＲＬ「ｗｗｗ．ｉｎｔｅｒｉｏｒ．ｃｏ．ｋｒ／ｒｅｖｉｅｗ」に対応するカードがランディングページとしてアクセス者の端末機に提供されてもよい。
【０１５８】
言い換えれば、ランディングサイトにアクセスするアクセス者がどのような検索語を利用してランディングサイトにアクセスするのかに応じて、ランディングサイトでアクセス者に最初に表示されるページが異なってもよい。
【０１５９】
上述した図に示されていないステップは、サイト管理システム１７００がさらに備えてもよい検索語受信部（図示せず）およびページ提供部（図示せず）によって実行されてもよい。
【０１６０】
このように、本発明の実施形態によると、ユーザが数回のクリックだけで自身の所望するウェブ／モバイルサイトの全体的な形状、さらに詳細的なコンポーネントの形状を構築できるように支援することができる。
【０１６１】
また、ウェブ／モバイルサイトに含まれる個別のウェブ／モバイルページを多様な機能が予め規定されたカードの形態でユーザに提供し、ユーザが提供されたカードを選択および組み合わせることによってウェブ／モバイルサイトを製作できるように支援することができる。
【０１６２】
また、空のカード上に多様なコンポーネントをユーザが多様に組み合わせて使用可能なように自由度を付与したカードである一般カードと特殊機能が含まれた機能カードとに区分して定義されたカードを提供し、外部開発者によって開発される機能カードの登録および販売によって新たな収益を創出することができる。
【０１６３】
さらに、ウェブ／モバイルサイトの編集のための構成要素を予めコンポーネントの単位で定義してユーザに提供し、ユーザが提供されたコンポーネントを選択および組み合わせることによってウェブ／モバイルサイトに含まれる個別のモバイルページを製作できるように支援することができる。
【０１６４】
上述した装置は、ハードウェア構成要素、ソフトウェア構成要素、および／またはハードウェア構成要素およびソフトウェア構成要素の組み合わせによって実現されてもよい。例えば、実施形態で説明された装置および構成要素は、例えば、プロセッサ、コントローラ、ＡＬＵ（ａｒｉｔｈｍｅｔｉｃ  ｌｏｇｉｃ  ｕｎｉｔ）、デジタル信号プロセッサ（ｄｉｇｉｔａｌ  ｓｉｇｎａｌ  ｐｒｏｃｅｓｓｏｒ）、マイクロコンピュータ、ＦＰＡ（ｆｉｅｌｄ  ｐｒｏｇｒａｍｍａｂｌｅ  ａｒｒａｙ）、ＰＬＵ（ｐｒｏｇｒａｍｍａｂｌｅ  ｌｏｇｉｃ  ｕｎｉｔ）、マイクロプロセッサ、または命令（ｉｎｓｔｒｕｃｔｉｏｎ）を実行して応答することができる異なる装置のように、１つ以上の汎用コンピュータまたは特殊目的コンピュータを利用して実現されてもよい。処理装置は、運営体制（ＯＳ）および運営体制上で実行される１つ以上のソフトウェアアプリケーションを実行してもよい。また、処理装置は、ソフトウェアの実行に応答し、データをアクセス、保存、操作、処理、および生成してもよい。理解の便宜のために、処理装置は１つが使用されると説明される場合もあるが、該当する技術分野において通常の知識を有する者は、処理装置が複数の処理要素（ｐｒｏｃｅｓｓｉｎｇ  ｅｌｅｍｅｎｔ）および／または複数類型の処理要素を含んでもよい。例えば、処理装置は、複数のプロセッサまたは１つのプロセッサおよび１つのコントローラを含んでもよい。また、並列プロセッサ（ｐａｒａｌｌｅｌ  ｐｒｏｃｅｓｓｏｒ）のような、他の処理構成（ｐｒｏｃｅｓｓｉｎｇ  ｃｏｎｆｉｇｕｒａｔｉｏｎ）も可能である。
【０１６５】
図１９は、本発明の一実施形態において、コンピュータシステムの内部構成の一例を説明するためのブロック図である。一例として、上述したサイト管理システム１００、ユーザ端末１１０および／またはアクセス者の端末が、本実施形態に係るコンピュータシステム１９００として実現されてもよい。このようなコンピュータシステム１９００は、少なくとも１つのプロセッサ（ｐｒｏｃｅｓｓｏｒ）１９１０、少なくとも１つのメモリ（ｍｅｍｏｒｙ）１９２０、周辺装置インタフェース（ｐｅｒｉｐｈｅｒａｌ  ｉｎｔｅｒｆａｃｅ）１９３０、入／出力システム（Ｉ／Ｏ  ｓｙｓｔｅｍ）１９４０、電力部１９５０、および通信部１９６０を少なくとも備えてもよい。
【０１６６】
メモリ１９２０は、一例として、高速ランダムアクセスメモリ（ｈｉｇｈ−ｓｐｅｅｄ  ｒａｎｄｏｍ  ａｃｃｅｓｓ  ｍｅｍｏｒｙ）、磁気ディスク、エスラム（ＳＲＡＭ）、ディーラム（ＤＲＡＭ）、ロム（ＲＯＭ）、フラッシュメモリ、または非揮発性メモリを含んでもよい。メモリ１９２０は、コンピュータシステム１９００の動作に必要なソフトウェアモジュール、命令語集合、またはその他の多様なデータを含んでもよい。このとき、プロセッサ１９１０や周辺装置インタフェース１９３０などの他のコンポーネントからメモリ１９２０へのアクセスは、プロセッサ１９１０によって制御されてもよい。
【０１６７】
周辺装置インタフェース１９３０は、コンピュータシステム１９００の入力および／または出力周辺装置を、プロセッサ１９１０およびメモリ１９２０に接続させてもよい。プロセッサ１９１０は、メモリ１９２０に格納されたソフトウェアモジュールまたは命令語集合を実行し、コンピュータシステム１９００のための多様な機能を実行してデータを処理してもよい。
【０１６８】
入／出力システム１９４０は、多様な入／出力周辺装置を周辺装置インタフェース１９３０に接続させてもよい。例えば、入／出力システム１９４０は、モニタやキーボード、マウス、プリンタ、または必要によってはタッチスクリーンやセンサなどの周辺装置を周辺装置インタフェース１９３０に接続させるためのコントローラを含んでもよい。他の一実施形態によると、入／出力周辺装置は、入／出力システム１９４０を経ずに周辺装置インタフェース１９３０と接続されてもよい。
【０１６９】
入／出力システム１９４０は、１つ以上のその他の入／出力コントローラを含んでもよい。その他の／入／出力コントローラは、その他の入／出力装置から電気信号を受信したり、その他の入／出力装置に電気信号を送信したりしてもよい。その他の入／出力装置は、例えば、ボタン、キーボード、タッチパッド、ダイヤル、スライダスイッチ、ジョイスティックなどを含んでもよい。また、その他の入／出力コントローラは、赤外線ポート、ＵＳＢポート、およびマウスなどのポインタ装置のうち任意のものと接続してもよい。
【０１７０】
一実施形態によると、その他の入力装置は、１つ以上の物理的ボタンまたは仮想のボタンを含んでもよい。仮想のボタンの場合、ボタンおよびボタンコントローラはそれぞれ、後述で説明されるタッチスクリーンおよびディスプレイコントローラの一部であってもよい。一実施形態において、ボタンは、スピーカまたはマイクロフォンのボリューム制御のためのアップ／ダウンボタン、ロックボタンまたはプッシュボタンを含んでもよい。一例として、ユーザがプッシュボタンを短く押すとタッチスクリーンのロックが解除され、再びタッチスクリーン上にジェスチャを適用して装置をロック解除するプロセスが始まってもよい。また、ユーザがプッシュボタンを長く押して端末機に対する電源をターン−オンまたはターン−オフしてもよい。
【０１７１】
他の一実施形態よると、その他の入力装置は、１つ以上の物理的キーボードまたは仮想のソフトキーボードを含んでもよい。キーボードの一例として、標準構成（ＱＷＥＲＴＹ）および／または非標準構成のシンボルが使用されてもよい。仮想のソフトキーボードにおいて、ソフトキーボードおよびソフトキーボードコントローラはそれぞれ、タッチスクリーンおよびディスプレイコントローラの一部であってもよい。ソフトキーボードの実施例は、物理的キーボードのキーの個数よりも少ない数のグラフィック（またはソフトキー）を含んでもよい。これにより、ユーザはソフトキーボードの１つ以上のグラフィックを選択し、それによって１つ以上の該当シンボルをタッチスクリーン上にディスプレイしてもよい。
【０１７２】
さらに他の一実施形態によると、その他の入力装置は、特定機能を活性化したり非活性化したりするためのタッチパッドを含んでもよい。一実施形態において、タッチパッドは、タッチスクリーンとは異なり、視覚的出力をディスプレイしないタッチ−感知領域を含んでもよい。また、タッチパッドは、タッチスクリーンから分離したタッチ−感知表面や、タッチスクリーンによって形成されて拡張したタッチ−感知表面の一部であってもよい。
【０１７３】
電力部１９５０は、端末機のコンポーネントの全部または一部に電力を供給してもよい。例えば、電力回路１９５０は、電力管理システム、バッテリや交流（ＡＣ）などのような１つ以上の電源、充電システム、電力失敗感知回路（ｐｏｗｅｒ  ｆａｉｌｕｒｅ  ｄｅｔｅｃｔｉｏｎ  ｃｉｒｃｕｉｔ）、電力変換器やインバータ、電力状態表示子、または電力生成、管理、分配のための任意の他のコンポーネントを含んでもよい。
【０１７４】
通信部１９６０は、少なくとも１つの外部ポートを利用して他のコンピュータシステムとの通信を可能にしてもよい。または、上述したように、必要によって通信部１９６０はＲＦ回路を含み、電磁気信号（ｅｌｅｃｔｒｏｍａｇｎｅｔｉｃ  ｓｉｇｎａｌ）とも知られたＲＦ信号を送受信することにより、他のコンピュータシステムと通信を可能にしてもよい。一例として、ＲＦ回路は、電気信号を電磁気信号に変換したり電磁気信号から電気信号を変換したりし、電磁気信号を利用して通信ネットワークおよび他の通信装置と通信してもよい。ＲＦ回路は、このような機能を実行するための周知の回路を含んでもよく、このような回路は、アンテナシステム、ＲＦ送受信機、１つ以上の増幅器、チューナ、１つ以上の発振器（ｏｓｃｉｌｌａｔｏｒ）、デジタル信号処理器、ＣＯＤＥＣチップセット、加入者識別モジュール（ＳＩＭ）カード、メモリなどを含むが、これらに限定されることはない。ＲＦ回路は、セルラ電話ネットワーク、無線ＬＡＮ（ｌｏｃａｌ  ａｒｅａ  ｎｅｔｗｏｒｋ）、および／またはＭＡＮ（ｍｅｔｒｏｐｏｌｉｔａｎ  ａｒｅａ  ｎｅｔｗｏｒｋ）などの無線ネットワーク、イントラネットおよび／またはワールドワイドウェブ（ＷＷＷ）とも呼ばれるインターネットのようなネットワーク、およびその他の装置と無線通信によって通信してもよい。このような無線通信には、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）（登録商標）、ＥＤＧＥ（Ｅｎｈａｎｃｅｄ  Ｄａｔａ  ＧＳＭ  Ｅｎｖｉｒｏｎｍｅｎｔ）、Ｗ−ＣＤＭＡ（ｗｉｄｅｂａｎｄ  ｃｏｄｅ  ｄｉｖｉｓｉｏｎ  ｍｕｌｔｉｐｌｅ  ａｃｃｅｓｓ）、ＣＤＭＡ（ｃｏｄｅ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ブルートゥース（Ｂｌｕｅｔｏｏｔｈ）（登録商標）、（ＩＥＥＥ８０２．１１ａ、ＩＥＥＥ８０２．１１ｂ、ＩＥＥＥ８０２．１１ｇ、および／またはＩＥＥＥ８０２．１１ｎなどの）Ｗｉ−Ｆｉ（Ｗｉｒｅｌｅｓｓ  Ｆｉｄｅｌｉｔｙ）、ＶｏＩＰ（ｖｏｉｃｅ  ｏｖｅｒ  Ｉｎｔｅｒｎｅｔ  Ｐｒｏｔｏｃｏｌ）、Ｗｉ−ＭＡＸ、ＬＴＥ（Ｌｏｎｇ  Ｔｅｒｍ  Ｅｖｏｌｕｔｉｏｎ）、ＩＭＡＰ（Ｉｎｔｅｒｎｅｔ  Ｍｅｓｓａｇｅ  Ａｃｃｅｓｓ  Ｐｒｏｔｏｃｏｌ）、および／またはＰＯＰ（Ｐｏｓｔ  Ｏｆｆｉｃｅ  Ｐｒｏｔｏｃｏｌ）などの電子メール用プロトコル、ＸＭＰＰ（ｅＸｔｅｎｓｉｂｌｅ  Ｍｅｓｓａｇｉｎｇ  ａｎｄ  Ｐｒｅｓｅｎｃｅ  Ｐｒｏｔｏｃｏｌ）、ＳＩＭＰＬＥ（Ｓｅｓｓｉｏｎ  Ｉｎｉｔｉａｔｉｏｎ  Ｐｒｏｔｏｃｏｌ  ｆｏｒ  Ｉｎｓｔａｎｔ  Ｍｅｓｓａｇｉｎｇ  ａｎｄ  Ｐｒｅｓｅｎｃｅ  Ｌｅｖｅｒａｇｉｎｇ  Ｅｘｔｅｎｓｉｏｎｓ）、ＩＭＰＳ（Ｉｎｓｔａｎｔ  Ｍｅｓｓａｇｉｎｇ  ａｎｄ  Ｐｒｅｓｅｎｃｅ  Ｓｅｒｖｉｃｅ）、またはＳＭＳ（Ｓｈｏｒｔ  Ｍｅｓｓａｇｅ  Ｓｅｒｖｉｃｅ）などのインスタントメッセージング、または本願の出願日当時には開発されていなかった通信プロトコルを含んでもよい。また、上述した無線通信には、これらに限定されない複数の通信標準、プロトコル、および技術が使用されてもよい。
【０１７５】
このような図１９の実施形態はコンピュータシステム１９００の一例に過ぎず、コンピュータシステム１９００は、図１９に示されていない追加のコンポーネントをさらに備えたり、２つ以上のコンポーネントを結合させる構成または配置を有してもよい。例えば、モバイル端末機のためのコンピュータシステムは、図１９に示すコンポーネントの他にも、タッチスクリーンやセンサなどをさらに備えてもよく、通信部１９６０にＲＦ通信のための回路が備えられてもよい。コンピュータシステム１９００に備えられ得るコンポーネントは、１つ以上の信号処理またはアプリケーションに特化された集積回路を含むハードウェア、ソフトウェア、またはハードウェアおよびソフトウェア両者の組み合わせによって実現されてもよい。
【０１７６】
例えば、コンピュータシステム１９００は、オーディオ回路（図示せず）をさらに備えてもよい。オーディオ回路は、スピーカおよび／またはマイクロフォンを利用してユーザと端末機との間のオーディオインタフェースを提供してもよい。オーディオ回路は、周辺装置インタフェース１９３０からオーディオデータを受信し、オーディオデータを電気信号に変換し、電気信号をスピーカに送信してもよい。スピーカは、電気信号を可聴音波（ｈｕｍａｎ−ａｕｄｉｂｌｅ  ｓｏｕｎｄ  ｗａｖｅ）に変換してもよい。また、オーディオ回路は、マイクロフォンによって音波から変換した電気信号を受信してもよい。オーディオ回路は、電気信号をオーディオデータに変換し、処理のためにオーディオデータを周辺装置インタフェース１９３０に送信してもよい。オーディオデータは、周辺装置インタフェース１９３０によってメモリ１９２０またはＲＦ回路から検索されたり、それらに送信されてもよい。一実施形態（ａｓｐｅｃｔ）によると、オーディオ回回路は、ヘッドセットジャック（ｈｅａｄｓｅｔ  ｊａｃｋ）をさらに備えてもよい。ヘッドセットジャックは、例えば、出力と入力をすべて備えたヘッドセットまたは出力−専用ヘッドフォンのような移動式オーディオ入／出力周辺装置とオーディオ回路との間のインタフェースを提供してもよい。
【０１７７】
他の例として、コンピュータシステム１９００は、ディスプレイコントローラおよび／またはタッチスクリーンをさらに備えてもよい。ディスプレイコントローラは、タッチ−感知領域を含むタッチスクリーンから電気信号を受信したり、タッチスクリーンに電気信号を送信したり、送受信をすべて実行してもよい。ディスプレイコントローラの制御に応じ、タッチスクリーンは、ユーザに対する視覚的出力をディスプレイしてもよい。視覚的出力は、グラフィック、テキスト、アイコン、ビデオ、およびこれらの任意の組み合わせ（これらを総括して「グラフィック」と指称する）を含んでもよい。一実施形態において、視覚的出力の一部または全部は、以下でより詳細に説明されるユーザインタフェースに対応してもよい。
【０１７８】
タッチスクリーンには、ＬＣＤ（Ｌｉｑｕｉｄ  Ｃｒｙｓｔａｌ  Ｄｉｓｐｌａｙ）、ＬＰＤ（Ｌｉｇｈｔ  ｅｍｉｔｔｉｎｇ  Ｐｏｌｙｍｅｒ  Ｄｉｓｐｌａｙ）、ＯＬＥＤ（Ｏｒｇａｎｉｃ  Ｌｉｇｈｔ−Ｅｍｉｔｔｉｎｇ  Ｄｉｏｄｅ）、またはＡＭＯＬＥＤ（Ａｃｔｉｖｅ−ｍａｔｒｉｘ  Ｏｒｇａｎｉｃ  Ｌｉｇｈｔ−Ｅｍｉｔｔｉｎｇ  Ｄｉｏｄｅ）技術が使用されてもよいが、その他のディスプレイ技術が使用されてもよい。また、タッチスクリーンおよびディスプレイコントローラは、静電容量式技術（ｃａｐａｃｉｔｉｖｅ  ｔｅｃｈｎｏｌｏｇｙ）、抵抗式技術（ｒｅｓｉｓｔｉｖｅ）、赤外線技術（ｉｎｆｒａｒｅｄ  ｔｅｃｈｎｏｌｏｇｙ）、および表面音波技術（ｓｕｒｆａｃｅ  ａｃｏｕｓｔｉｃ  ｗａｖｅ  ｔｅｃｈｎｏｌｏｇｙ）を含んでもよいが、これらに限定されることはなく、既に公知のものや後に開発されるタッチ感知技術のうち任意のものを利用してもよい。また、タッチスクリーンおよびディスプレイコントローラは、近接センサ配列（ｐｒｏｘｉｍｉｔｙ  ｓｅｎｓｏｒ  ａｒｒａｙ）またはタッチスクリーンとの１つ以上の接触点を判断するためのその他の構成要素を利用することで、接触またはそれの任意の動きや解除を感知してもよい。
【０１７９】
ディスプレイコントローラは、タッチ−感知領域を含まないスクリーンと接続してもよい。タッチ−感知領域を含まないスクリーンは、ディスプレイコントローラから電気信号を受信してユーザに対する視覚的出力を表示してもよい。タッチ−感知領域を含まないスクリーンには、ＰＤＰ（Ｐｌａｓｍａ  Ｄｉｓｐｌａｙ  Ｐａｎｅｌ）、ＥＰＤ（Ｅｌｅｃｔｒｏｎｉｃ  Ｐａｐｅｒ  Ｄｉｓｐｌａｙ）、ＬＣＤ（Ｌｉｑｕｉｄ  Ｃｒｙｓｔａｌ  Ｄｉｓｐｌａｙ）、ＬＰＤ（Ｌｉｇｈｔ  ｅｍｉｔｔｉｎｇ  Ｐｏｌｙｍｅｒ  Ｄｉｓｐｌａｙ）、ＯＬＥＤ（Ｏｒｇａｎｉｃ  Ｌｉｇｈｔ−Ｅｍｉｔｔｉｎｇ  Ｄｉｏｄｅ）、またはＡＭＯＬＥＤ（Ａｃｔｉｖｅ−ｍａｔｒｉｘ  Ｏｒｇａｎｉｃ  Ｌｉｇｈｔ−Ｅｍｉｔｔｉｎｇ  Ｄｉｏｄｅ）技術が使用されてもよいが、その他のディスプレイ技術が使用されてもよい。タッチ−感知領域を含まないスクリーンを使用する端末機は、動作のためのユーザインタフェースとして、物理的なキーボード、マウス、物理的なボタンなどのような入／出力装置を提供してもよい。
【０１８０】
一実施形態によると、プロセッサ１９１０、周辺装置インタフェース１９３０、入／出力システム１９４０のうち少なくとも１つは、単一チップ上に実現されてもよい。または、プロセッサ１９３０、周辺装置インタフェース１９３０、および入／出力システム１９４０のうち少なくとも１つの一部が単一チップ上に実現されてもよい。
【０１８１】
ソフトウェアは、コンピュータプログラム（ｃｏｍｐｕｔｅｒ  ｐｒｏｇｒａｍ）、コード（ｃｏｄｅ）、命令（ｉｎｓｔｒｕｃｔｉｏｎ）、またはこれらうち１つ以上の組み合わせを含んでもよく、所望するとおりに動作するように処理装置を構成したり、独立的または結合的に（ｃｏｌｌｅｃｔｉｖｅｌｙ）処理装置を命令してもよい。ソフトウェアおよび／またはデータは、処理装置によって解釈されたり、処理装置に命令またはデータを提供するために、ある類型の機械、構成要素（ｃｏｍｐｏｎｅｎｔ）、物理的装置、仮想装置（ｖｉｒｔｕａｌ  ｅｑｕｉｐｍｅｎｔ）、コンピュータ格納媒体または装置、または送信される信号波（ｓｉｇｎａｌ  ｗａｖｅ）に永久的にまたは一時的に具体化（ｅｍｂｏｄｙ）されてもよい。ソフトウェアはネットワークによって接続されたコンピュータシステム上に分散され、分散された方法によって格納されたり実行されてもよい。ソフトウェアおよびデータは、１つ以上のコンピュータで読み取り可能な記録媒体に格納されてもよい。
【０１８２】
実施形態に係る方法は、多様なコンピュータ手段によって実行が可能なプログラム命令形態で実現されてコンピュータで読み取り可能な媒体に記録されてもよい。コンピュータで読み取り可能な媒体は、プログラム命令、データファイル、データ構造などを単独または組み合わせて含んでもよい。媒体に記録されるプログラム命令は、実施形態のために特別に設計されて構成されたものであってもよく、コンピュータソフトウェア当業者に公知な使用可能なものであってもよい。コンピュータで読み取り可能な記録媒体の例としては、ハードディスク、フロッピー（登録商標）ディスク、および磁気テープのような磁気媒体（ｍａｇｎｅｔｉｃ  ｍｅｄｉａ）、ＣＤ−ＲＯＭ、ＤＶＤのような光記録媒体（ｏｐｔｉｃａｌ  ｍｅｄｉａ）、フロプティカルディスク（ｆｌｏｐｔｉｃａｌ  ｄｉｓｋ）のような磁気−光媒体（ｍａｇｎｅｔｏ−ｏｐｔｉｃａｌ  ｍｅｄｉａ）、およびＲＯＭ、ＲＡＭ、フラッシュメモリなどのようなプログラム命令を格納して実行するように特別に構成されたハードウェア装置が含まれる。プログラム命令の例としては、コンパイラによって生成されるもののような機械語コードだけではなく、インタプリタなどを使用してコンピュータによって実行される高級言語コードを含む。上述したハードウェア装置は、実施形態の動作を実行するために１つ以上のソフトウェアモジュールとして作動するように構成されてもよく、その逆も同じである。
【０１８３】
以上のように、実施形態を限定された実施形態と図面に基づいて説明したが、該当する技術分野において通常の知識を有する者であれば、上述した記載から多様な修正および変形が可能であることが理解できるであろう。例えば、説明された技術が説明された方法とは異なる順序で実行されたり、および／または説明されたシステム、構造、装置、回路などの構成要素が説明された方法とは異なる形態で結合または組み合わされたり、他の構成要素または均等物によって対置されたり置換されたとしても、適切な結果を達成することができる。
【０１８４】
したがって、異なる実施形態であっても、特許請求の範囲と均等なものであれば、添付される特許請求の範囲に属する。
【符号の説明】
【０１８５】
１００：サイト管理システム
１１０：ユーザ端末
【図１】
0006031535.tif 000003
【図２】
0006031535.tif 000004
【図３】
0006031535.tif 000005
【図４】
0006031535.tif 000006
【図５】
0006031535.tif 000007
【図６】
0006031535.tif 000008
【図７】
0006031535.tif 000009
【図８】
0006031535.tif 000010
【図９】
0006031535.tif 000011
【図１０】
0006031535.tif 000012
【図１１】
0006031535.tif 000013
【図１２】
0006031535.tif 000014
【図１３】
0006031535.tif 000015
【図１４】
0006031535.tif 000016
【図１５】
0006031535.tif 000017
【図１６】
0006031535.tif 000018
【図１７】
0006031535.tif 000019
【図１８】
0006031535.tif 000020
【図１９】
0006031535.tif 000021